(57)【特許請求の範囲】
【請求項１】
一対の支柱と、前記支柱を立設状態に保持する一対の保持具と、前記一対の支柱の上部の架設具に架設されるハンガーバーとを備えたハンガーラックであって、
前記各保持具は、家具調度品の側底部を載置する平板状の家具調度品載置部と、前記家具調度品載置部に隣接して前記支柱の下部を保持する保持部とを一体に形成しており、
前記家具調度品の各側底部を前記一対の保持具の家具調度品載置部に載置したときに、前記ハンガーバーが前記一対の支柱の架設具に架設可能に前記ハンガーバーの架設幅を調節可能に形成したことを特徴とするハンガーラック。
【請求項２】
前記家具調度品の各側底部を前記一対の保持具の家具調度品載置部に載置したときに、前記各支柱の中間に前記家具調度品の各側面に当接する一対の当接具を備えることを特徴とする請求項１に記載のハンガーラック。
【請求項３】
前記各支柱の高さは調節可能に形成しており、
前記各当接具は前記各支柱への高さ方向の固定位置を調節可能としたことを特徴とする請求項２に記載のハンガーラック。
【請求項４】
前記各架設具は、前記ハンガーバーが前記支柱の水平外方に貫通可能な構造に形成しており、前記ハンガーバーの左右端部が前記支柱の外方に位置可能としたことを特徴とする請求項１〜３のいずれかに記載のハンガーラック。
【発明の詳細な説明】
【技術分野】
【０００１】
本発明は、室内の家具調度品の上部スペースを利用可能としたハンガーラックに係り、特に、一対の支柱を立設状態に保持する各保持具は、家具調度品の側底部を載置する平板状の家具調度品載置部と、家具調度品載置部に隣接して支柱の下部を保持する保持部とを一体に形成し、一対の支柱の上部にハンガーバーを架設したハンガーラックに関する技術である。
【背景技術】
【０００２】
従来、ハンガーラックは一般家庭で広く使用されており、各種構造のものが知られている。
そして、従来のハンガーラックの構造として、一対の支柱の上部にハンガーバーを架設し、一対の支柱の下部を連結パイプで連結し、一対の支柱の高さを調節可能としたものが知られている（例えば、特許文献１、特許文献２参照）。
【０００３】
また、従来のハンガーラックの他の構造として、一対の支柱の上部に架設したハンガーバー及び一対の支柱の下部を連結した連結パイプのそれぞれの幅を調節可能としたものが知られている（例えば、特許文献３、特許文献４参照）。
さらに、従来のハンガーラックの他の構造として、ハンガーラックの下方における一対の支柱間に小物収納部を一体に形成した収納部付ハンガーラックが知られている（例えば、特許文献５及び特許文献６参照）。
【先行技術文献】
【特許文献】
【０００４】
【特許文献１】特許第４９０６１４８号公報（図１）
【特許文献２】実用新案登録第３１６３４５３号公報（図１）
【特許文献３】特開平８−４７４４２号公報（図１０、図１１）
【特許文献４】実用新案登録第３０４３５５０号公報（図１）
【特許文献５】実開昭５８−１１１０３８号公報
【特許文献６】意匠登録第１４３８４６４号公報
【発明の概要】
【発明が解決しようとする課題】
【０００５】
特許文献１及び特許文献２に記載された従来のハンガーラックは、いずれも、一対の支柱の下部を連結パイプで連結した構造であり、家具調度品の左右側面近傍に一対の支柱を位置させることができず、家具調度品の上部スペースを利用することができないという課題があった。
また、特許文献３及び特許文献４に記載された従来のハンガーラックは、いずれも、一対の支柱の上部に架設したハンガーバー及び一対の支柱の下部を連結した連結パイプのそれぞれの幅を調節可能として、ハンガーラックとして必要な幅に調節できるようにした利点があるが、特許文献１及び特許文献２に記載された従来のハンガーラックと同様に、いずれも、一対の支柱の下部を連結パイプで連結している構造であり、家具調度品の左右側面近傍に一対の支柱を位置させることができず、家具調度品の上部スペースを利用することができないという課題があった。
【０００６】
さらに、特許文献５及び特許文献６に記載された従来の収納部付ハンガーラックは、収納部の上部スペースをハンガーラックとして利用できるようにしているが、収納部とハンガーラックとが一体に形成されており、収納部の構造や幅が一律であり、使用者が希望するデザイン、形状、用途などを備えた家具調度品を選択することができないという課題があった。
また、使用者が希望する収納部を備えた収納部付ハンガーラックを揃えるとすれば、収納部付ハンガーラックについて非常に多くの品揃えが必要となり、多種少量生産となって価格面から実現困難であるという課題があった。
【０００７】
本発明は、このような従来の構成が有していた課題を解決しようとするものであり、一対の支柱を立設状態に保持する各保持具は、家具調度品の側底部を載置する平板状の家具調度品載置部と、前記家具調度品載載置部に隣接して前記支柱の下部を保持する保持部とを一体に形成して、家具調度品の上部スペースを利用可能としたハンガーラックとすることを目的としている。
【課題を解決するための手段】
【０００８】
請求項１に係る本発明のハンガーラックは、一対の支柱と、前記支柱を立設状態に保持する一対の保持具と、前記一対の支柱の上部の架設具に架設されるハンガーバーとを備えたハンガーラックであって、
前記各保持具は、家具調度品の側底部を載置する平板状の家具調度品載置部と、前記家具調度品載置部に隣接して前記支柱の下部を保持する保持部とを一体に形成しており、
前記家具調度品の各側底部を前記一対の保持具の家具調度品載置部に載置したときに、前記ハンガーバーが前記一対の支柱の上部に架設可能に前記ハンガーバーの架設幅を調節可能に形成したものである。
【０００９】
請求項２に係る本発明のハンガーラックは、請求項１に係る本発明のハンガーラックの構成に加え、前記家具調度品の各側底部を前記一対の保持具の家具調度品載置部に載置したときに、前記各支柱の中間に前記家具調度品の各側面に当接する一対の当接具を備えるものである。
【００１０】
請求項３に係る本発明のハンガーラックは、請求項２に係る本発明のハンガーラックの構成に加え、前記各支柱の高さは調節可能に形成しており、前記各当接具は前記各支柱への高さ方向の固定位置を調節可能としたものである。
【００１１】
請求項４に係る本発明のハンガーラックは、請求項１〜３のいずれかに係る本発明のハンガーラックの構成に加え、前記各架設具は、前記ハンガーバーが前記支柱の水平外方に貫通可能な構造に形成しており、前記ハンガーバーの左右端部が前記支柱の外方に位置可能としたものである。
【発明の効果】
【００１２】
請求項１に係る本発明のハンガーラックは、前記各保持具は、家具調度品の側底部を載置する平板状の家具調度品載置部と、前記家具調度品載置部に隣接して前記支柱の下部を保持する保持部とを一体に形成しており、前記家具調度品の各側底部を前記一対の保持具の家具調度品載置部に載置したときに、前記ハンガーバーが前記一対の支柱の架設具に架設可能に前記ハンガーバーの架設幅を調節可能に形成したから、ハンガーラックを家具調度品の横幅に合せて設置することができ、家具調度品の横幅が広狭いずれであってもその上部スペースを利用することができるのである。
しかも、本発明のハンガーラックは、家具調度品の重量により一対の支柱の立設状態を保持することができるので、支柱の下部構造を簡素化することができるのである。
【００１３】
請求項２に係る本発明のハンガーラックは、請求項１に係る本発明のハンガーラックの効果に加え、前記家具調度品の各側底部を前記一対の保持具の家具調度品載置部に載置したときに、前記各支柱の中間に前記家具調度品の各側面に当接する一対の当接具を備えたから、ハンガーラックを家具調度品と強固に一体化することができ、ハンガーラックの設置を一層安定させることができるのである。
【００１４】
請求項３に係る本発明のハンガーラックは、請求項２に係る本発明のハンガーラックの効果に加え、前記各支柱の高さは調節可能に形成しており、前記各当接具は前記各支柱への高さ方向の固定位置を調節可能としたから、家具調度品の高さが高低いずれであっても家具調度品の上方側面に当接具を当接させることができるのである。
【００１５】
請求項４に係る本発明のハンガーラックは、請求項１〜３のいずれかに係る本発明のハンガーラックの効果に加え、前記各架設具は、前記ハンガーバーが前記支柱の水平外方に貫通可能な構造に形成しており、前記ハンガーバーの左右端部が前記支柱の外方に位置可能としたから、家具調度品の横幅が狭いときに、支柱の外方にハンガーバーを位置させ、利用できるハンガーバーの横幅を広くすることができるのである。
また、請求項４に係る本発明のハンガーラックは、丈の長い衣服をハンガーに掛けて支柱の外方のハンガーバーに掛けることもできるのである。
【図面の簡単な説明】
【００１６】
【図１】本発明の第一の実施の形態に係るハンガーラックの正面図である。
【図２】図１のＡ−Ａ線断面図である。
【図３】図１の斜視図である。
【図４】本発明の第二の実施の形態に係るハンガーラックの正面図である。
【図５】図４のＢ−Ｂ線断面図である。
【発明を実施するための形態】
【００１７】
以下、本発明の実施の形態を添付した図面により説明する。
図１〜図３は、本発明の第一の実施の形態に係る図面であり、図１は家具調度品を載置した状態を示すハンガーラックの正面図、図２は図１のＡ−Ａ線断面図、図３は図１の斜視図であり、図４〜図５は本発明の第二の実施の形態に係る図面であり、図４は家具調度品を載置するとともにキャスターを備えた状態を示すハンガーラックの正面図、図５は図４のＢ−Ｂ線断面図である。
【００１８】
図１〜図３において、１はハンガーラックであり、ハンガーラック１は、一対の支柱２と、一対の保持具３と、一対の支柱３の上部に設けた一対の架設具４と、１本のハンガーバー５と、一対の当接具６とを備えている。
各支柱２は、ステンレススチール製のパイプからなり、下方の外パイプ２１内に上方の内パイプ２２を挿入長さが調節可能に挿入させて、高さ調節部２３により内パイプ２２の挿入長さを調節して固定ネジ２４により固定し各支柱２の高さを調節可能に形成している。
【００１９】
各保持具３は各支柱２を垂直な立設状態に保持するのであり、３段のタンスからなる家具調度品７の左右側底部７１を載置する平板状の家具調度品載置部３１と、家具調度品載置部３１に隣接して支柱２の下部を固定して保持する保持部３２とを合成樹脂により一体に成形して形成している。
各保持具３の保持部３２への支柱２の固定は、図示していないが例えば、保持部３２に形成した雌ねじに、支柱２の下部に形成した雄ねじを螺合することによって行うこともできるし、支柱２の下部外周に接着剤を塗布して保持部３２の内周に接着することによって行うこともできる。
【００２０】
このように、ハンガーラック１は、家具調度品７の重量により一対の支柱２の立設状態を保持することができるようにして、支柱２の下部構造を簡素化するようにしている。
そして、家具調度品７の各側底部７１を一対の保持具３の家具調度品載置部３１に載置したときに、各支柱２の外パイプ２１の中間に家具調度品７の各側面７２に当接する一対の当接具６を固定可能に備えている。
【００２１】
各当接具６は、家具調度品７の各側面７２に当接する平面部６１と、各支柱２の外パイプ２１への高さ方向の固定位置を調節する位置調節部６２と、固定ネジ６３を備えており、位置調節部６２を操作して各支柱２の外パイプ２１への高さ方向の固定位置を調節可能としている。
このように当接具６を設けることにより、ハンガーラック１を家具調度品７と強固に一体化することができ、ハンガーラック１の設置を一層安定させることができるのである。
【００２２】
また、各当接具６は、位置調節部６２により家具調度品７の高さが高低いずれであっても家具調度品７の上方の各側面７２に当接具６を当接させるようにして、ハンガーラックの１の設置を安定させるのである。
各支柱２の内パイプ２２の上部に設けた各架設具４は、内パイプ２２の上端に固定する固定部４１と、ハンガーバー５が支柱２の水平外方に貫通可能な構造に形成した貫通部４２とを合成樹脂により一体に成形して形成し、固定ネジ４３によりハンガーバー５を貫通部４２に固定している。
【００２３】
そして、ハンガーバー５は、ステンレススチール製のパイプからなり、中央部の小径パイプ５１と、左右の一対の大径パイプ５２との３本のパイプからなり、小径パイプ５１の左右端部側を一対の大径パイプ５２にそれぞれ挿入長さが調節可能に挿入させて、一対の架設幅調節部５４により、小径パイプ５１の左右端部側の挿入長さを調節して固定しハンガーバー５の架設幅を調節可能に形成している。
なお、各架設幅調節部５４は、図示しないが、大径パイプ５２の挿入側端部に複数のスリットと雄ねじとを形成し、内周に雌ねじと圧接凸状部とを形成した調節リングを回動して大径パイプ５２の挿入側端部を小径パイプ５１の外周に圧接することにより固定するようにしたパイプの長さ調節構造として慣用されているものである。
【００２４】
このように、ハンガーラック１を家具調度品７の横幅に合せて設置することができるようにして、家具調度品７の横幅が広狭いずれであってもその上部スペースを利用することができるようにしているのである。
また、ハンガーバー５の大径パイプ５２の左右端部側が各架設具４の貫通部４２を貫通して左右端部５３が支柱２の外方に位置可能とし、家具調度品７の横幅が狭いときに、支柱２の外方にハンガーバー５の大径パイプ５２を位置させて利用できるようにし、ハンガーバー５の横幅を広くできるようにしているのである。
【００２５】
そして、図３に示すように各種衣服８をハンガー８１に掛けてハンガーバー５に吊るすのであり、丈の長い衣服８についてはハンガー８１に掛けて支柱２の外方のハンガーバー５の大径パイプ５２に掛けることができるようにしているのである。
なお、ハンガーバー５の大径パイプ５２の左右端部５３にはキャップを設けている。
【００２６】
次に、本発明の第二の実施の形態に係るハンガーラックを図４〜図５に基づいて説明する。
第二の実施の形態に係るハンガーラック１は、家具調度品７を保持具３の家具調度品載置部３１に載置するとともに、キャスター９を備えて家具調度品７及びハンガーラック１の設置個所の移動を容易としたものである。
【００２７】
以下、第一の実施の形態と同様な構成については、同一の符号を付して説明を省略ないし簡略にし、キャスター９などの第一の実施の形態と異なる構成について説明する。
図４〜図５において、木質材からなる基板９１の底面に４個のロック付キャスター９を固定し、基板９１の上面に一対の保持具３を位置させて、家具調度品７を保持具３の家具調度品載置部３１に載置するようにしている。
【００２８】
基板９１は、載置する家具調度品９の横幅に合せて予め用意された数種から選択したり、鋸で切断したりするのである。
第二の実施の形態における他の構成は、第一の実施の形態と同様である。
【００２９】
以上の実施の形態では、支柱の高さを調節可能としたが、支柱の高さを調節不能として支柱の高さの異なる数種のハンガーラックを製作して需要者が家具調度品の高さに合わせて選択するようにしてもよい。
また、以上の実施の形態では、当接具の高さ方向の固定位置を調節可能としたが、固定位置を調節不能として当接具の高さ方向の固定位置の異なる数種のハンガーラックを製作して需要者が家具調度品の高さに合わせて選択するようにしてもよい。
【００３０】
以上の実施の形態では、各架設具はハンガーバーが支柱の水平外方に貫通可能な構造に形成して、ハンガーバーの左右端部が支柱の外方に位置可能としたが、ハンガーバーの左右端部を各架設具に架設するようにしてもよい。
また、以上の実施の形態では、家具調度品の横幅の広狭に合わせて架設幅を調節可能とする構造として、中央の小径パイプと左右一対の大径パイプと一対の架設幅調節部とで構成したが、小径パイプと大径パイプとで架設幅を調節するようにしてもよい。
【００３１】
以上の実施の形態では、各架設具におけるハンガーバーが貫通可能な構造として筒状の貫通部としたが、断面Ｕ字状の受部としてもよく、固定ネジを省略して載置するようにしてもよい。
また、以上の実施の形態ではハンガーバーの架設幅調節部、支柱の高さ調節部の構造の一例を示したが、これらの構造は慣用されている各種の構造のものにしてもよい。
【００３２】
以上の実施の形態では、支柱、保持具、ハンガーバーなどについて、材質を例示したが、適宜材質変更ができることはもちろんである。
【符号の説明】
【００３３】
１    ハンガーラック
２    支柱
３    保持具
３１  家具調度品載置部
３２  保持部
４    架設具
４２  貫通部
５    ハンガーバー
５３  左右端部
６    当接具
７    家具調度品
７１  側底部
７２  側面
【要約】
【課題】一対の支柱を立設状態に保持する各保持具に、家具調度品の側底部を載置可能な平板状の載置部を備えることにより、家具調度品の上部スペースを利用可能としたハンガーラックに関する技術である。
【解決手段】ハンガーラック１は、一対の支柱２と、支柱２を立設状態に保持する一対の保持具３と、一対の支柱２の上部の架設具４に架設されるハンガーバー５とを備えたハンガーラックであって、各保持具３は、家具調度品７の側底部７１を載置可能な平板状の載置部３１と、載置部３１に隣接して支柱２の下部を保持する保持部３２とを一体に形成しており、家具調度品７の各側底部７１を一対の保持具３の載置部３１に載置したときに、ハンガーバー５が一対の支柱２の上部に架設可能にハンガーバー５の架設幅を調節可能に形成した。
【選択図】図１【図１】
0005898809.tif 000002
【図２】
0005898809.tif 000003
【図３】
0005898809.tif 000004
【図４】
0005898809.tif 000005
【図５】
0005898809.tif 000006